(57)【要約】【課題】屋根置台を容易に設置することができるエアコン室外機の屋根置台を提供する。【解決手段】エアコン室外機の屋根置台は、エアコン室外機を支持する一対の支持部材３０を備える。支持部材３０は、エアコン室外機が載置されるベース４０と、ベース４０の先端部を支持するステー５０と、エアコン室外機の据付時にステー５０に対してベース４０の先端部を交差状に連結し固定する連結機構６０とを有する。連結機構６０は、ベース４０とステー５０との交差角度を略直角に維持する角度維持機構６１と、ステー５０に対してベース４０の先端部を連結し固定する高さ方向の固定位置をスライド式に調整可能とする高さ調整機構６２と、角度維持機構６１による角度維持機能が解除され、かつベース４０とステー５０とを連結した状態で、ステー５０をベース４０に向けて回転させてベース４０に沿うように折り畳み可能とする折り畳み機構６３とを有する。【選択図】  図６
2018119740.tif 000002
【特許請求の範囲】
【請求項１】
屋根（Ｒ）の高い側に配置される後座板（１０）と、前記屋根（Ｒ）の低い側に配置される前座板（２０）と、前記後座板（１０）と前記前座板（２０）との間に架設され、エアコン室外機（ＯＵ）を支持する一対の支持部材（３０）とを備えるエアコン室外機の屋根置台（１）であって、
前記後座板（１０）から前記前座板（２０）に向かう方向を前方向とし、前記前座板（２０）から前記後座板（１０）に向かう方向を後方向としたとき、
前記支持部材（３０）は、
後方端が前記後座板（１０）に支持される、前記エアコン室外機（ＯＵ）が載置されるベース（４０）と、
下端が前記前座板（２０）に支持される、前記ベース（４０）の先端部を支持するステー（５０）と、
前記エアコン室外機（ＯＵ）の据付時に、前記ステー（５０）に対して前記ベース（４０）の先端部を交差状に連結して固定する連結機構（６０）と
を有し、
前記連結機構（６０）は、
前記ベース（４０）と前記ステー（５０）との交差角度を略直角に維持する角度維持機構（６１）と、
前記ステー（５０）に対して前記ベース（４０）の先端部を連結し固定する高さ方向（Ｚ）の固定位置をスライド式に調整可能とする高さ調整機構（６２）と、
前記ステー（５０）を前記高さ方向（Ｚ）にスライドさせることにより、前記角度維持機構（６１）による角度維持機能が解除され、かつ前記ベース（４０）と前記ステー（５０）とを連結した状態を維持しつつ、前記ステー（５０）を前記ベース（４０）に向けて回転させて前記ベース（４０）に沿うように折り畳み可能とする折り畳み機構（６３）と
を有する
エアコン室外機の屋根置台。
【請求項２】
前記連結機構（６０）は、頭部（８１）と、頭部（８１）から突出する軸部（８２）とを備えた締結部材（８０）を有し、
前記締結部材（８０）は、前記高さ調整機構（６２）における前記ステー（５０）と前記ベース（４０）に対する固定位置を前記高さ方向（Ｚ）にスライドするときのガイド軸及び前記ステー（５０）に対し前記ベース（４０）を固定する固定用の軸となり、かつ前記折り畳み機構（６３）において前記ステー（５０）を前記ベース（４０）に向けて回転するときの回転軸となる
請求項１に記載のエアコン室外機の屋根置台。
【請求項３】
前記角度維持機構（６１）は、前記ベース（４０）に対する前記ステー（５０）の回転を規制する規制部（７４）を有し、
前記折り畳み機構（６３）は、前記ステー（５０）が前記ベース（４０）に向けて回転するときに前記規制部（７４）と前記ステー（５０）との干渉を回避する干渉回避構造（６４）を有する
請求項１又は２に記載のエアコン室外機の屋根置台。
【請求項４】
前記連結機構（６０）は、前記ステー（５０）の前面（５１ａ）に対面する前壁（７４）、及び前記ステー（５０）の前記前方向から見た左右両側面（５３ａ，５４ａ）に対面する左右の両側壁（７５，７６）を備えた連結具（７０）を有し、
前記連結具（７０）は、少なくとも前記両側壁（７５，７６）のいずれか一方に形成された、前記締結部材（８０）の前記軸部（８２）が挿入される貫通孔（７８）を有し、
前記干渉回避構造（６４）は、前記締結部材（８０）を緩めた状態で前記ステー（５０）が前記後方向に移動可能となるように、前記貫通孔（７８）が前記後方向に延びる構造である
請求項２を引用する請求項３に記載のエアコン室外機の屋根置台。
【請求項５】
前記連結具（７０）は、前記ベース（４０）の先端面と、前記前壁（７４）及び前記両側壁（７５，７６）とにより囲まれるスペース（ＳＰ）に前記ステー（５０）を嵌め合い可能に貫通させるように、前記ベース（４０）の先端部に取り付けられ、
前記ステー（５０）は、前記ステー（５０）の長さ方向に前記締結部材（８０）をスライド可能に貫通させる長穴（５５）を有し、
前記干渉回避構造（６４）は、前記ステー（５０）における前記長穴（５５）の上縁に前記軸部（８２）が当接したときに前記ステー（５０）の上縁が前記ベース（４０）よりも下方に位置するように前記長穴（５５）が前記ステー（５０）の前記長さ方向に延びる構造である
請求項４に記載のエアコン室外機の屋根置台。
【請求項６】
前記ステー（５０）は、前記ステー（５０）における前記長穴（５５）の内側に形成された、前記締結部材（８０）を前記長穴（５５）内でスライド可能とするように前記締結部材（８０）の頭部（８１）を案内する案内部（５７）とを有し、
前記高さ調整機構（６２）は、前記締結部材（８０）、前記貫通孔（７８）、前記長穴（５５）、及び前記締結部材（８０）の軸部（８２）に対して前記ステー（５０）の外側から締結されるナット（８３）を備えて構成されている
請求項５に記載のエアコン室外機の屋根置台。
【発明の詳細な説明】
【技術分野】
【０００１】
本発明は、傾斜した屋根に設置することが可能なエアコン室外機の屋根置台に関する。
【背景技術】
【０００２】
このようなエアコン室外機の屋根置台として、エアコン室外機を載置するための、略水平に配置されるベースと、ベースの前端部と前座板との間に架設されてベースを所定の高さ位置に支持するステーとを、有する一対の支持部材が隙間を空けて設けられた構成が知られている。その一例として、特許文献１のエアコン室外機の屋根置台は、ステーとベースとを連結固定するための、ベースの前端部に取り付けられる連結部材をさらに備える。連結部材は、ステーを上下方向に貫通させてスライド式に貫通位置を可変にする貫通穴部が形成されると共に、適宜の貫通位置でステーに対して固定可能に構成される。そして、この屋根置台は、連結部材がステーに対し固定される位置を変更することにより、異なる傾斜角度の屋根に対してベースが略水平となるように調整できるように構成されている。
【先行技術文献】
【特許文献】
【０００３】
【特許文献１】特開２００８−４５８２５号公報
【発明の概要】
【発明が解決しようとする課題】
【０００４】
ところで、特許文献１のエアコン室外機の屋根置台では、その屋根置台を梱包する場合、梱包箱の小型化のため、連結部材からステーを取り外した状態としていた。このため、従来の屋根置台は、設置の際に連結部材とステーとを連結する作業を行う必要があり、設置作業が煩雑であった。
【０００５】
本発明は、このような事情に鑑みてなされたものであって、設置作業を容易化したエアコン室外機の屋根置台を提供することを目的とする。
【課題を解決するための手段】
【０００６】
この課題を解決するエアコン室外機の屋根置台は、屋根の高い側に配置される後座板と、前記屋根の低い側に配置される前座板と、前記後座板と前記前座板との間に架設され、エアコン室外機を支持する一対の支持部材とを備えるエアコン室外機の屋根置台であって、前記後座板から前記前座板に向かう方向を前方向とし、前記前座板から前記後座板に向かう方向を後方向としたとき、前記支持部材は、後方端が前記後座板に支持される、前記エアコン室外機が載置されるベースと、下端が前記前座板に支持される、前記ベースの先端部を支持するステーと、前記エアコン室外機の据付時に、前記ステーに対して前記ベースの先端部を交差状に連結して固定する連結機構とを有し、前記連結機構は、前記ベースと前記ステーとの交差角度を略直角に維持する角度維持機構と、前記ステーに対して前記ベースの先端部を連結し固定する高さ方向の固定位置をスライド式に調整可能とする高さ調整機構と、前記ステーを前記高さ方向にスライドさせることにより、前記角度維持機構による角度維持機能が解除され、かつ前記ベースと前記ステーとを連結した状態を維持しつつ、前記ステーを前記ベースに向けて回転させて前記ベースに沿うように折り畳み可能とする折り畳み機構とを有する。
【０００７】
この構成によれば、連結機構の折り畳み機構によって連結機構を介してベースとステーとが連結された状態を維持しつつ、ベース及びステーが折り畳むことができる。したがって、エアコン室外機の屋根置台を屋根に設置する場合には、ステーとベースとの連結作業を不要とすることができ、設置作業を容易化することができる。
【０００８】
加えて、連結機構が角度維持機構、高さ調整機構及び折り畳み機構を有するため、これら機構により、ベースとステーとを略直角に容易に維持することができ、ステーに対してベースの先端部を固定する高さ位置を容易に調整することができ、さらに、ステーをベースの下面に沿うように折り畳み自在とすることができる。
【０００９】
上記エアコン室外機の屋根置台において、前記連結機構は、頭部と、頭部から突出する軸部とを備えた締結部材を有し、前記締結部材は、前記高さ調整機構における前記ステーと前記ベースに対する固定位置を前記高さ方向にスライドするときのガイド軸及び前記ステーに対し前記ベースを固定する固定用の軸となり、かつ前記折り畳み機構において前記ステーを前記ベースに向けて回転するときの回転軸となることが好ましい。
【００１０】
この構成によれば、ボルトは、連結具とステーとを固定する機能と、ステーの高さ方向への移動をガイドする機能とを兼ねている。したがって、角度維持機構及び高さ調整機構の構成を簡素化することができる。
【００１１】
上記エアコン室外機の屋根置台において、前記角度維持機構は、前記ベースに対する前記ステーの回転を規制する規制部を有し、前記折り畳み機構は、前記ステーが前記ベースに向けて回転するときに前記規制部と前記ステーとの干渉を回避する干渉回避構造を有することが好ましい。
【００１２】
この構成によれば、ステーがベースに向けて回転するときに規制部がステーの回転を規制することが回避されるため、ステーがベースに向けて円滑に回転する。したがって、ステーをベースに向けて容易に折り畳むことができる。
【００１３】
上記エアコン室外機の屋根置台において、前記連結機構は、前記ステーの前面に対面する前壁、及び前記ステーの前記前方向から見た左右両側面に対面する左右の両側壁を備えた連結具を有し、前記連結具は、少なくとも前記両側壁のいずれか一方に形成された、前記締結部材の前記軸部が挿入される貫通孔を有し、前記干渉回避構造は、前記締結部材を緩めた状態で前記ステーが前記後方向に移動可能となるように、前記貫通孔が前記後方向に延びる構造であることが好ましい。
【００１４】
この構成によれば、締結部材の軸部が貫通孔の後方向に移動することに伴いステーの前面が連結具の前壁に対して間隔を空けて対向するようになる。この間隔を設けたことにより、連結具内でステーが締結部材の軸部を回転中心として回転するとき、ステーと連結具の前壁との干渉を回避できる。このように、干渉回避構造を簡単な構成で実現することができる。
【００１５】
上記エアコン室外機の屋根置台において、前記連結具は、前記ベースの先端面と、前記前壁及び前記両側壁とにより囲まれるスペースに前記ステーを嵌め合い可能に貫通させるように、前記ベースの先端部に取り付けられ、前記ステーは、前記ステーの長さ方向に前記締結部材をスライド可能に貫通させる長穴を有し、前記干渉回避構造は、前記ステーにおける前記長穴の上縁に前記軸部が当接したときに前記ステーの上縁が前記ベースよりも下方に位置するように前記長穴が前記ステーの前記長さ方向に延びる構造であることが好ましい。
【００１６】
この構成によれば、締結部材の軸部がステーの長穴の上縁に移動することによってステーの上縁がベースよりも下方に位置するようになるため、ベースに干渉されることなく、ステーを連結具の前壁に対して後方向に移動させることができる。したがって、前後方向において連結機構を小型化できる。
【００１７】
上記エアコン室外機の屋根置台において、前記ステーは、前記ステーにおける前記長穴の内側に形成された、前記締結部材を前記長穴内でスライド可能とするように前記締結部材の頭部を案内する案内部とを有し、前記高さ調整機構は、前記締結部材、前記貫通孔、前記長穴、及び前記締結部材の軸部に対して前記ステーの外側から締結されるナットを備えて構成されていることが好ましい。
【００１８】
この構成によれば、締結部材の頭部をステーの案内部内に保持した状態で、ベースの先端部をステーの高さ方向にスライドさせるときのガイド軸として利用できる。したがって、ベースとステーとの連結状態を維持した状態で、ベースをステーの高さ方向に円滑に移動できる。加えて、締結部材の軸部が長穴からステーの側方に向けて突出するため、ステーの側方から締結部材の締結作業を容易に行うことができる。
【発明の効果】
【００１９】
上記エアコン室外機の屋根置台によれば、設置作業を容易化することができる。
【図面の簡単な説明】
【００２０】
【図１】実施の形態に係るエアコン室外機の屋根置台の、屋根上に据え付けられた状態の斜視図。
【図２】同エアコン室外機の屋根置台の、屋根の傾斜角度の大きい屋根に据え付けられた状態の側面図。
【図３】同エアコン室外機の屋根置台におけるベースの後方端を後座板に取り付けている部分の断面図。
【図４】同エアコン室外機の屋根置台におけるステーの下端部を前座板に取り付けている部分の断面図。
【図５】同エアコン室外機の屋根置台におけるベース、ステー及び連結具の分解斜視図。
【図６】同エアコン室外機の屋根置台における連結具及び前座板に対するステーの取付部の斜視図。
【図７】同エアコン室外機の屋根置台における連結具を用いて固定された状態のステーとベースの先端部との連結部分の平断面図。
【図８】同エアコン室外機の屋根置台の、屋根の傾斜角度が小さい屋根に据え付けられた状態の側面図。
【図９】同エアコン室外機の屋根置台の、収納状態の斜視図。
【図１０】同エアコン室外機の屋根置台の、設置状態から収納状態への変更手順説明図であって、ステーとベースとの交差角度が略直角のときの連結具及びその周辺の側面図。
【図１１】同変更手順説明図であって、図１０の状態からステーが連結具に対して下方に移動したときの連結具及びその周辺の側面図。
【図１２】同変更手順説明図であって、図１１の状態からステーが連結具に対して後方向に移動したときの連結具及びその周辺の側面図。
【図１３】同変更手順説明図であって、図１２の状態からステーがベースに沿うように回転した状態の連結具及びその周辺の側面図。
【図１４】変形例に係るエアコン室外機の屋根置台の、収納状態の斜視図。
【図１５】他の変形例に係るエアコン室外機の屋根置台の図面であって、（ａ）は、ステーとベースとの交差角度が略直角の状態における連結具及びその周辺の側面図、（ｂ）は、ステーがベースに向けて回転したときの連結具及びその周辺の側面図。
【図１６】他の変形例に係るエアコン室外機の屋根置台の図面であって、（ａ）は、連結機構の分解斜視図、（ｂ）は、連結機構の斜視図。
【図１７】図１６の連結機構であって、（ａ）高さ調整機構によって調整された状態の連結機構の斜視図、（ｂ）ステーがベースの規制部よりも下方に位置する状態の連結機構の斜視図、（ｃ）収納状態の連結機構の斜視図。
【発明を実施するための形態】
【００２１】
以下、本発明を具体化した実施形態に係るエアコン室外機の屋根置台（以下、「屋根置台１」）を図面に基づいて説明する。図１に示すように、屋根置台１は、エアコン室外機ＯＵが屋根Ｒの傾斜にかかわらず略水平となるように設置するものである。なお、以降の説明において、屋根置台１の前後、左右及び上下は、図１のように屋根Ｒに設置された状態において屋根Ｒの低い側を正面とし、正面から見たときの前後、左右及び上下をいうものとする。
【００２２】
屋根置台１は、屋根Ｒの高い側に配置される後座板１０と、屋根Ｒの低い側に配置される前座板２０と、後座板１０と前座板２０との間に架設され、エアコン室外機ＯＵを支持する一対の支持部材３０とを備える。後座板１０は、針金２により建築物の壁面に繋ぎ留めることにより強固に保持されている。針金２の一端はヒートン釘３により建築物の壁面に固定され、他端は後座板１０に巻き付けられることにより固定されている。後座板１０及び前座板２０は、屋根Ｒの正面視において屋根Ｒの傾斜方向と直交する方向（以下、「左右方向Ｘ」）に延びている。各支持部材３０は、後方端が後座板１０に支持された、エアコン室外機ＯＵが載置されるベース４０と、下端が前座板２０に支持された、ベース４０が略水平となるようにベース４０を支持するステー５０と、ベース４０とステー５０とを連結する連結機構６０とを有する。ベース４０は、左右方向Ｘと直交する水平方向（以下、「前後方向Ｙ」）に延びている。ステー５０は、左右方向Ｘ及び前後方向Ｙと直交する方向（以下、「高さ方向Ｚ」）に延びている。このため、図２に示すように、屋根置台１が設置状態のとき、ベース４０とステー５０とは、略直角となる。なお、以降の説明において、「前方向」というときは、後座板１０から前座板２０に向かう方向をいい、「後方向」というときは、前座板２０から後座板１０に向かう方向をいうものとする。
【００２３】
図３に示すように、後座板１０は、左右方向Ｘに延びる取付壁部１１と、取付壁部１１の前端から下方に延びる連結壁部１２と、取付壁部１１の後方端及び連結壁部１２の下端を連結する接触壁部１３とからなる筒状体である。後座板１０は、例えばアルミニウム又はアルミニウム合金の押出型材からなる。取付壁部１１は、ベース４０の後方端を取り付ける壁面をなす。取付壁部１１には、高さ方向Ｚに開口するスリット１４が設けられている。スリット１４の内側には、ベース４０を取り付ける締結具としてのボルト１６の頭部１６ａを左右方向Ｘにスライド可能に収納すると共に、ボルト１６のねじ部１６ｂをスリット１４から上方に突出させる溝部１５が設けられている。ボルト１６にナット１７がベース４０の後方端を挟み込むように締結されることにより、ベース４０の後方端が後座板１０に固定される。接触壁部１３は、曲面状に形成されている。接触壁部１３における屋根Ｒとの接触部には、屋根足１８が接触壁部１３に対して左右方向Ｘにスライド可能に取り付けられている。屋根足１８は、後座板１０が屋根瓦の上に載置されることにより屋根瓦の損傷を抑制するためのクッション機能を有する樹脂製の保護具である。
【００２４】
前座板２０は、後座板１０と同一構造のものであり、取付壁部が前側となるように設置方向の向きを変えて屋根Ｒ上に載置されたものである。すなわち図４に示すように、前座板２０は、取付壁部２１、連結壁部２２、接触壁部２３、スリット２４、溝部２５、ボルト２６、ナット２７、及び屋根足２８を備え、これら構成要素は、図３の後座板１０の取付壁部１１、連結壁部１２、スリット１４、溝部１５、ボルト１６、ナット１７、及び屋根足１８に該当する。ボルト２６の頭部２６ａ及びねじ部２６ｂは、図３の後座板１０のボルト１６の頭部１６ａおよびねじ部１６ｂに該当する。スリット２４は、前後方向Ｙに開口している。ボルト２６の頭部２６ａは、溝部２５にスライド可能に収納され、ねじ部２６ｂはスリット２４から前方向に向けて突出している。ボルト２６にナット２７がステー５０の下端部を挟み込むように締結されることにより、ステー５０の下端部が前座板２０に固定される。
【００２５】
このように、ボルト１６，２６とナット１７，２７とにより後座板１０及び前座板２０に対して一対の支持部材３０が固定されている。このため、ナット１７，２７を緩めることにより、後座板１０及び前座板２０に対して一対の支持部材３０のそれぞれが左右方向Ｘにスライド可能となり、エアコン室外機の左右方向Ｘのサイズに応じて一対の支持部材３０の間の距離が作業者によって適宜調整される。
【００２６】
図１及び図２に示すように、ベース４０は、後座板１０から前方向に向けて延びている。ベース４０は、水平に配置された平面帯状の上壁４１と、上壁４１の左右端部から下方に延びる一対の側壁４２と、高さ方向Ｚにおいて上壁４１に隙間を空けて対向する下壁４３とからなる筒状体である。ベース４０は、アルミニウム又はアルミニウム合金の押出型材からなる。上壁４１には、絶縁材４４を取り付けるためのスリット４５が形成されている。絶縁材４４は、締結部材４４ａによってスリット４５（図１参照）に沿って移動可能に取り付けられる。これにより、エアコン室外機ＯＵ（図１参照）の前後方向Ｙの大きさに応じて絶縁材４４の位置を調整できる。締結部材４４ａは、スリット４５にねじ部が挿入されたボルトと、ベース４０内に収容されたナットとからなる。
【００２７】
図５に示すように、ステー５０は、ベース４０の前端部から下方に延びている。ステー５０は、前壁５１と、前後方向Ｙにおいて前壁５１と隙間を空けて対向する後壁５２と、前壁５１の左右端部と後壁５２の左右端部とを連結する左壁５３及び右壁５４とからなる筒状体である。ステー５０は、アルミニウム又はアルミニウム合金の押出型材からなる。
【００２８】
右壁５４には、右壁５４を左右方向Ｘに貫通する長穴５５が設けられている。長穴５５は、ステー５０の長さ方向に沿って延びている。長穴５５は、ステー５０の上端部から下端部に亘って形成されている。
【００２９】
図５及び図６に示すように、前壁５１には、後方向に向けて凹む凹部５６が設けられている。凹部５６は、ステー５０の長さ方向（屋根置台１が設置状態のときには高さ方向Ｚ）の全体に亘り形成されている。凹部５６の右側には、支持段部５６ａが設けられ、凹部５６の左側には、支持突起５６ｂが設けられている。支持段部５６ａ及び支持突起５６ｂは、ステー５０の長さ方向の略全体に亘り形成されている。
【００３０】
図６に示すように、凹部５６には、ボルト２６のねじ部２６ｂがステー５０の前壁５１から前方向に向けて突出するように挿入されている。ねじ部２６ｂに締結されたナット２７の一部は、凹部５６に収容される。ナット２７は、凹部５６の支持段部５６ａ及び支持突起５６ｂに当接するようにねじ部２６ｂに締結される。これにより、ステー５０が前座板２０に取り付けられる。
【００３１】
図５に示すように、後壁５２の右端には、案内部５７が形成されている。案内部５７は、長穴５５よりも後側に位置し、ステー５０の後壁５２の長さ方向の全体に亘り形成されている。案内部５７は、後壁５２から前方向に向けて突出する段形状に形成されている。
【００３２】
図６に示すように、ステー５０の上端部には、その上端部の開口を閉塞する樹脂製のカバー５８が取り付けられている。ステー５０の下端部には、前座板２０に取り付けるための切欠き部５９が設けられている。切欠き部５９は、前座板２０の形状に沿ってステー５０の後壁５２、左壁５３及び右壁５４を切り欠いている。
【００３３】
図５〜図７に示すように、連結機構６０は、ベース４０の前端部に取り付けられる連結具７０と、ボルト貫通孔７８に挿入される締結部材の一例であるボルト８０と、ボルト８０に締結されるナット８３とを備える。ボルト８０及びナット８３は、ベース４０とステー５０とを固定する固定部を構成している。
【００３４】
連結具７０は、ベース４０の前端部とステー５０とを連結固定するための部材であり、ステー５０が連結具７０に固定されることにより、ベース４０の前端部を支持する。連結具７０は、アルミニウム又はアルミニウム合金の押出型材からなる。図５及び図７に示すように、連結具７０は、ステー５０が貫通可能なスペースＳＰが形成されるように壁が環状に形成された環状壁部７１と、環状壁部７１から後方向に向けて突出してベース４０内に挿入される一対の取付片７２と、ボルト８０のねじ部８２が挿入される貫通孔の一例であるボルト貫通孔７８とを有する。また連結具７０は、環状壁部７１と一対の取付片７２との前後方向Ｙの間に形成された段部７３を有する。段部７３は、一対の取付片７２がベース４０に挿入されたときにベース４０の前端部と当接することにより、ベース４０に対する連結具７０の位置を決める。
【００３５】
環状壁部７１は、ステー５０の前壁５１の前面５１ａに対向する前壁７４と、ステー５０の左壁５３の左側面５３ａ及び右壁５４の右側面５４ａに対面する左壁７５及び右壁７６と、前壁７４から後方向に隙間を空けて前壁７４と対面する後壁７７とを有する。前壁７４、左壁７５及び右壁７６の高さ寸法は、後壁７７の高さ寸法よりも長く、ベース４０の高さ寸法よりも長い。前壁７４、左壁７５及び右壁７６の高さ寸法は、互いに等しい。
【００３６】
一対の取付片７２は、ベース４０に一対の取付片７２が挿入された状態において、ベース４０の両側壁４２に形成されたねじ用の貫通孔４６に対応する位置にタッピングねじ孔７２ａが形成されている。貫通孔４６を介してタッピングねじ孔７２ａにタッピングねじ７９が締結されることにより、連結具７０がベース４０の前端部に取り付けられる。
【００３７】
図５及び図６に示すように、ボルト貫通孔７８は、連結具７０の右壁７６に形成されている。ボルト貫通孔７８は、前後方向Ｙに沿って延びる長穴に形成されている。ボルト貫通孔７８は、連結具７０がベース４０に取り付けられた状態においてベース４０の下壁４３の下面４３ａよりも下方に位置し、連結具７０とステー５０とが連結された状態においてステー５０の長穴５５と連通している。
【００３８】
図５及び図７に示すように、ボルト８０は、連結具７０内のスペースＳＰに配置される頭部８１と、頭部８１から突出する軸部の一例であるねじ部８２とを備える。本実施形態の頭部８１の平面形状は四角形である。ねじ部８２は、ボルト貫通孔７８及び長穴５５を貫通している。ねじ部８２においてボルト貫通孔７８から突出する部分には、ナット８３が締結される。図７に示すように、ボルト８０の頭部８１は、連結具７０の案内部５７に対して前後方向Ｙに接触又は近接している。
【００３９】
図６に示すように、ステー５０の上端が連結具７０の上端と同じ高さに位置する場合において、ボルト貫通孔７８は、長穴５５の上端部よりも下方に位置している。言い換えれば、ステー５０の上端部が連結具７０の上端部と同じ高さに位置する場合において、ボルト８０のねじ部８２は、長穴５５の上端部よりも下方に位置している。このため、連結機構６０は、ステー５０の上端部が連結具７０の上端部よりも下方に移動可能な構成となっている。より詳細には、連結機構６０は、ボルト８０のねじ部８２が長穴５５の上端部に接触したときにステー５０の上端部がベース４０の下壁４３の下面４３ａと高さ方向Ｚにおいて同じ位置、又は下面４３ａよりも下方位置となるように連結具７０に対して移動可能な構成となっている。
【００４０】
このような構成の連結機構６０は、角度維持機構６１、高さ調整機構６２及び折り畳み機構６３を有する。角度維持機構６１は、エアコン室外機ＯＵの据付時にベース４０とステー５０との交差角度を略直角に維持する角度維持機能を有する。高さ調整機構６２は、ステー５０に対するベース４０（連結具７０）の高さ方向Ｚの固定位置をスライド式に調整する機能を有する。折り畳み機構６３は、角度維持機構６１による角度維持機能が解除され、かつベース４０とステー５０とを連結した状態で、ステー５０をベース４０に向けて回転させてベース４０の下壁４３の下面４３ａに沿うように折り畳む機能を有する。
【００４１】
角度維持機構６１は、連結具７０、ボルト貫通孔７８、ステー５０の長穴５５、ボルト８０及びナット８３を備えて構成されている。角度維持機構６１は、連結具７０内のスペースＳＰに貫通されたステー５０を、ナット８３によってボルト８０を締結して固定することにより、ボルト８０、前壁７４、左壁７５（図５参照）、右壁７６及び後壁７７によりステー５０の左右及び前後方向への移動及び回転を規制するように構成されている。より詳細には、前壁７４は、ベース４０に対するステー５０の回転を規制する規制部となる。前壁７４及び後壁７７は、ベース４０に対するステー５０の前後方向の移動を規制する第１の移動規制部となる。左壁７５及び右壁７６は、ベース４０に対するステー５０の左右方向の移動を規制する第２の移動規制部となる。ベース４０に対する角度維持機構６１は、ベース４０とステー５０との交差角度が略直角となった状態でボルト８０に対してナット８３を締結することによりベース４０とステー５０との交差角度を略直角に維持する。一方、ボルト８０に対するナット８３の締結を緩めながらベース４０とステー５０との連結を維持することによって、ステー５０がベース４０に向けて回転可能として角度維持機構６１の角度維持機能を解除した解除状態となる。
【００４２】
高さ調整機構６２は、ボルト８０、ボルト貫通孔７８、ステー５０の長穴５５、及びナット８３を備えて構成されている。屋根置台１は、傾斜角度が大きい屋根Ｒに設置される場合、図１及び図２に示すように連結具７０のステー５０に対する固定位置が上方に設定され、傾斜角度が小さい屋根Ｒに設置される場合、図８に示すように連結具７０のステー５０に対する固定位置が下方に設定される。このように、連結具７０のステー５０に対する固定位置を変更するため、作業者は、ナット８３の締結を緩めて角度維持機構６１を解除状態として、連結具７０に対してステー５０を高さ方向Ｚにスライド移動させる。そして作業者は、屋根Ｒに対してベース４０が略水平になるように連結具７０のステー５０に対する固定位置を調整した後、ナット８３を締結することにより連結具７０とステー５０とを固定する。
【００４３】
図６に示すように、折り畳み機構６３は、ボルト８０、ボルト貫通孔７８、ステー５０の長穴５５、及びナット８３を備えて構成されている。折り畳み機構６３は、角度維持機構６１が解除状態において、ボルト８０のねじ部８２を回転軸としてステー５０を折り畳み可能としたものである。折り畳み機構６３は、ステー５０がベース４０に向けて回転するときに連結具７０の前壁７４とステー５０との干渉を回避する干渉回避構造６４を有する。干渉回避構造６４は、ボルト８０を緩めた状態でステー５０が後方向に移動可能となるようにボルト貫通孔７８が後方向に延びる構造と、ステー５０の長穴５５の上縁にボルト８０のねじ部８２が当接したときにステー５０の上縁がベース４０よりも下方に位置するように長穴５５がステー５０の長さ方向（高さ方向Ｚ）に延びる構造とを含む。
【００４４】
図９は、折り畳み機構６３により折り畳まれた状態（以下、「収納状態」）の屋根置台１を示す。収納状態において、ステー５０の後壁５２（図７参照）は、ベース４０の下壁４３に近接している。連結具７０の高さ方向Ｚにおける最大寸法である前壁７４並びに左壁７５及び右壁７６の高さ方向Ｚの長さは、収納状態におけるステー５０及びベース４０の合計の長さＬｓｂよりも僅かに短い。
【００４５】
図１０〜図１３を参照して、屋根置台１の設置状態から収納状態への変更手順、及び屋根置台１の収納状態から設置状態への変更手順のそれぞれについて、その作用とともに説明する。
【００４６】
屋根置台１を設置状態から収納状態に変更する場合、まず、角度維持機構６１を解除状態にする。すなわち、図１０に示すように、作業者は、ねじ部８２に対してナット８３を緩めることにより、連結具７０に対するステー５０の回転を許容できるようにする。この解除状態では、連結具７０に対するステー５０の高さ方向Ｚへのスライドを許容できる。そして作業者は、連結具７０に対してステー５０を下方に移動させる。これにより、図１１に示すように、ステー５０の長穴５５の上端部にボルト８０のねじ部８２が接触する。このとき、ステー５０の上端部がベース４０の下面４３ａ及び連結具７０の後壁７７よりも僅かに下方に位置するようになる。
【００４７】
次に、図１１に示すように、作業者は、連結具７０に対してステー５０及びボルト８０を後方向に移動させる。これにより、図１２に示すように、ボルト８０のねじ部８２が連結具７０のボルト貫通孔７８の後方向の端部に接触する。このとき、ステー５０の後壁５２は、連結具７０の後壁７７及びベース４０の前端部よりも後側に位置している。これにより、連結具７０の前壁７４とステー５０の前壁５１との前後方向Ｙの間に、ボルト８０を中心としたステー５０の回転を許容するスペースが形成される。すなわちステー５０がベース４０に向けて回転してもステー５０が連結具７０の前壁７４に干渉することが回避される。
【００４８】
次に、図１２に示すように、作業者は、ボルト８０のねじ部８２を回転軸としてステー５０の後壁５２がベース４０の下面４３ａに沿うようにステー５０を反時計回り方向に回転させる。ステー５０の後壁５２がベース４０の下面４３ａに沿う状態のとき、ステー５０のカバー５８は、前後方向Ｙにおいて連結具７０の前壁７４と対向している。そして作業者は、ナット８３を締め付けることにより、ステー５０の後壁５２がベース４０の下面４３ａに沿う状態が維持される。これにより、図１３に示す収納状態となる。このように、ボルト８０によって連結具７０を介してベース４０とステー５０とが連結された状態でステー５０を折り畳むことができるため、屋根置台１の設置状態から収納状態への切り替えを容易に行うことができる。
【００４９】
一方、図１３に示す収納状態から設置状態に変更する場合、まず、作業者は、ナット８３を緩めた後、ステー５０の後壁５２がベース４０の下面４３ａから離れるようにボルト８０を回転軸としてステー５０を時計回り方向に回転させる。これにより、図１２に示すようなステー５０とベース４０との交差角度が略直角となる。一方、ステー５０は、後壁５２が連結具７０の後壁７７よりも後側となるように位置している。
【００５０】
次に、作業者は、連結具７０に対してステー５０を前方向に移動させる。これにより、ステー５０が連結具７０内に収容された状態となるため、連結具７０とステー５０とが高さ方向Ｚに相対移動可能となる。そして作業者は、ボルト８０のねじ部８２をガイド軸として、屋根Ｒの傾斜角度に応じてステー５０に対してベース４０を高さ方向Ｚにスライド移動させる。これにより、図２又は図８に示すように、屋根Ｒの傾斜角度にかかわらず、ベース４０が略水平となる。最後に作業者は、ボルト８０のねじ部８２をステー５０に対してベース４０を固定する固定用の軸として、ねじ部８２にナット８３を締め付けることにより、ベース４０とステー５０との交差角度が略直角となる状態が維持される。このように、ボルト８０によって連結具７０を介してベース４０とステー５０とが連結された状態でステー５０とベース４０との交差角度を略垂直にすることができるため、屋根置台１の収納状態から設置状態への切り替えを容易に行うことができる。
【００５１】
本実施形態の屋根置台１によれば、以下に示す効果が得られる。
（１）屋根置台１が収納状態及び設置状態のいずれの場合においても連結機構６０によってベース４０とステー５０とが連結された状態が維持されるため、ステー５０とベース４０との連結作業を不要とすることができ、屋根置台１の設置作業を容易化することができる。
【００５２】
加えて、連結機構６０は、角度維持機構６１、高さ調整機構６２及び折り畳み機構６３を有する。このため、ベース４０とステー５０とを略直角に容易に維持することができ、ステー５０に対してベース４０の先端部を固定する高さ位置を容易に調整することができ、さらに、ステー５０をベース４０の下面４３ａに沿うように折り畳む自在とすることができる。
【００５３】
（２）ボルト８０は、ステー５０が折り畳まれるときにおけるステー５０の回転軸となる機能と、ステー５０の高さ方向Ｚへの移動をガイドする機能とを兼ねている。また、ボルト８０は、ナット８３と協働して連結具７０とステー５０とを固定する。したがって、角度維持機構６１及び高さ調整機構６２の構成を簡素化することができる。
【００５４】
（３）干渉回避構造６４によって、ステー５０がベース４０に向けて回転するときに連結具７０の前壁７４がステー５０の回転を規制することが回避される。このため、ステー５０がベース４０に向けて円滑に回転する。したがって、ステー５０をベース４０に向けて容易に折り畳むことができる。
【００５５】
（４）干渉回避構造６４が後方向に延びるボルト貫通孔７８を含むことによって、ボルト８０がボルト貫通孔７８の後方向に移動することに伴いステー５０の前面５１ａが連結具７０の前壁７４に対して間隔を空けて対向するようになる。この間隔を設けたことにより、連結具７０内でステー５０がボルト８０のねじ部８２を回転中心として回転するとき、ステー５０と連結具７０の前壁７４との干渉を回避できる。このように、干渉回避構造６４を簡単な構成で実現することができる。
【００５６】
（５）ボルト８０のねじ部８２がステー５０の長穴５５の上縁に移動することによってステー５０の上縁がベース４０よりも下方に位置するようになるため、ベース４０に干渉されることなく、ステー５０を連結具７０の前壁７４に対して後方向に移動させることができる。したがって、前後方向Ｙにおいて連結機構６０を小型化できる。
【００５７】
（６）ボルト８０の頭部８１をステー５０の案内部５７内に保持した状態で、ベース４０の先端部をステー５０の高さ方向Ｚにスライドさせるときのガイド軸として利用できる。したがって、ベース４０とステー５０との連結状態を維持した状態で、ベース４０をステー５０の高さ方向Ｚに円滑に移動できる。加えて、ボルト８０のねじ部８２がステー５０の長穴５５からステー５０の側方、具体例では右側方に向けて突出しているため、ステー５０の側方からボルト８０の締結作業を容易に行うことができる。
【００５８】
（７）角度維持機構６１は、連結具７０の環状壁部７１に設けられたスペースＳＰにステー５０が嵌まり込むように挿入されて構成される。このため、角度維持機構６１を簡素な構成で実現することができる。加えて、連結具７０に対してステー５０が高さ方向Ｚにスライド可能となるため、連結具７０がステー５０の高さ方向Ｚへの移動をガイドすることができる。
【００５９】
（８）折り畳み機構６３が連結具７０のボルト貫通孔７８及びステー５０の長穴５５により実現できるため、折り畳み機構６３が簡素な構成で実現することができる。
（９）連結具７０の最大寸法が収納状態におけるステー５０とベース４０との合計の長さＬｓｂよりも短いことにより、収納状態における屋根置台１の小型化を図ることができる。
【００６０】
また、連結具７０の左壁７５及び右壁７６の高さ方向Ｚの長さは、ベース４０の高さ方向の長さよりも長いことにより、折り畳み機構６３によるステー５０の折り畳みの過程において、連結具７０がステー５０の左右方向Ｘの移動を規制する。したがって、ステー５０の回転を安定させることができる。
【００６１】
（１０）ボルト８０の頭部８１が四角形状を有し、ステー５０の案内部５７に接触している。これにより、ボルト８０の回転を案内部５７で規制すると共にボルト８０を高さ方向Ｚにスライドするときに高さ方向Ｚに沿ってボルト８０を案内することができる。
【００６２】
（１１）ステー５０の後壁５２がベース４０の下面４３ａに沿う状態のとき、ステー５０のカバー５８（上端部）が連結具７０の前壁７４と前後方向Ｙに対向している。このため、ステー５０が前方向に移動しても前壁７４と接触することによりステー５０の前方向への移動を規制することができる。
【００６３】
（変形例）
上記実施形態に関する説明は、本発明のエアコン室外機の屋根置台が取り得る形態の例示であり、その形態を制限することを意図していない。本発明のエアコン室外機の屋根置台は、例えば以下に示される上記実施形態の変形例、および、相互に矛盾しない少なくとも２つの変形例が組み合わせられた形態を取り得る。
【００６４】
・上記実施形態において、図１４に示すように、収納状態として、後座板１０とベース４０とを分解した状態、前座板２０とステー５０とを分解した状態としてもよい。この場合、連結機構６０によりベース４０とステー５０とは連結された状態である。これにより、収納状態における屋根置台１の小型化を図ることができ、収納状態の屋根置台１を梱包する梱包箱を小型化できる。
【００６５】
・上記実施形態において、図１５（ａ）に示すように、干渉回避構造６４として、ステー５０の上端部の前方部９０を切り欠いて曲面状に形成してもよい。これにより、図１５（ｂ）に示すように、ステー５０がボルト８０を中心に回転してもステー５０の前方部９０が連結具７０の前壁７４に干渉することを抑制できる。この場合、ステー５０及びボルト８０は、屋根置台１を設置状態から収納状態に変更する際に上記実施形態の図１２に示すように後方向に移動しなくてもよい。なお、前方部９０の形状は任意に変更可能である。要するに、ステー５０の前方部９０は、連結具７０の前壁７４に干渉しない形状であればよい。
【００６６】
・上記実施形態において、折り畳み機構６３として、連結具７０の前壁７４の下方の一部をステー５０がボルト８０を中心に回転するときにステー５０の上端部と前壁７４とが干渉しないように切り欠いてもよい。この場合においても、ステー５０及びボルト８０は、屋根置台１を設置状態から収納状態に変更する際に上記実施形態の図１２に示すように後方向に移動しなくてもよい。
【００６７】
・上記実施形態において、連結具７０から後壁７７を省略してもよい。この場合、ステー５０の後壁５２はステー５０の前端部と接触することにより、ステー５０の下端部が前方向に回転することを規制できる。
【００６８】
・上記実施形態において、ボルト貫通孔７８は、連結具７０の右壁７６に代えて左壁７５に設けられてもよい。この場合、長穴５５はステー５０の左壁５３に設けられ、案内部５７はステー５０の後壁５２における左壁５３寄りの部分に設けられる。
【００６９】
・上記実施形態において、ボルト８０のねじ部８２が連結具７０の左壁７５及び右壁７６の両壁を貫通してもよい。すなわち左壁７５にもボルト貫通孔７８が形成される。この場合、ボルト８０の頭部８１は、例えば連結具７０の左壁７５に近接している。またステー５０の左壁５３に、右壁５４の長穴５５と同様の長穴が形成される。
【００７０】
・上記実施形態において、支持部材３０は、収納状態におけるステー５０とベース４０との近接状態を保持する保持手段をさらに備えてもよい。保持手段の第１の例は、ステー５０に設けられた第１磁石と、ベース４０に設けられ、第１磁石との間に引き合う力が生じる第２磁石とからなる。保持手段の第２の例は、凸部及び凹部からなる嵌合部が設けられる。ステー５０及びベース４０の一方には凸部が設けられ、ステー５０及びベース４０の他方には凹部が設けられる。
【００７１】
・上記実施形態において、ベース４０及びステー５０の形状及び構造は任意に変更可能である。また連結機構６０から連結具７０を省略してもよい。これらの一例として、図１６（ａ）及び（ｂ）に示すように、連結機構６０Ａは、ボルト８０によってベース４０Ａ及びステー５０Ａが直接的に締結された構造である。ベース４０Ａは、前後方向Ｙから見てＬ字状に形成されている。ステー５０Ａは、平板状に形成されている。ベース４０Ａは、ボルト貫通孔４７、前方規制部４８及び後方規制部４９を有する。ボルト貫通孔４７、前方規制部４８及び後方規制部４９は、ベース４０Ａの先端部に設けられている。後方規制部４９は、前方規制部４８に対して後方向に間隔を空けて設けられている。ボルト貫通孔４７は、前後方向Ｙにおいて前方規制部４８及び後方規制部４９の間、かつ前方規制部４８及び後方規制部４９よりも下方に設けられている。ステー５０Ａは、前方規制部４８及び後方規制部４９の間に配置されている。図１６（ｂ）に示すとおり、ステー５０Ａは、前方規制部４８及び後方規制部４９によってベース４０Ａに対する回転が規制されている。すなわちボルト８０、前方規制部４８及び後方規制部４９は角度維持機構６１Ａを構成している。
【００７２】
図１７（ａ）に示すように、ステー５０Ａの長穴５５が高さ方向Ｚに延びているため、ボルト８０によるステー５０Ａ及びベース４０Ａの固定位置が高さ方向Ｚに調整される。すなわちステー５０Ａの長穴５５及びボルト８０によって高さ調整機構６２Ａを構成している。
【００７３】
図１７（ｂ）に示すように、ボルト８０がステー５０Ａの長穴５５の高さ方向Ｚの上縁に当接すると、ステー５０Ａの上縁が前方規制部４８及び後方規制部４９よりも下方に位置する。これにより、ボルト８０を中心としたステー５０Ａの回転が前方規制部４８及び後方規制部４９によって規制されない。このようにステー５０Ａの長穴５５によって干渉回避構造６４Ａが構成されている。そして、ステー５０Ａがベース４０Ａに向けて回転すると、図１７（ｃ）に示すように、ステー５０Ａの長さ方向とベース４０Ａの長さ方向とが平行するようになる。このようにボルト８０及びステー５０Ａの長穴によって折り畳み機構６３Ａが構成されている。また図１７（ｃ）に示すとおり、収納状態において、ステー５０Ａの先端がベース４０Ａの前端よりも前方向に向けて突出していない。このため、前後方向Ｙにおいて屋根置台１をコンパクトに収納できる。
【符号の説明】
【００７４】
１            エアコン室外機の屋根置台
１０          後座板
２０          前座板
３０          支持部材
４０，４０Ａ  ベース
５０，５０Ａ  ステー
５１ａ        前面
５３ａ        左側面
５４ａ        右側面
５５          長穴
５７          案内部
６０，６０Ａ  連結機構
６１，６１Ａ  角度維持機構
６２，６２Ａ  高さ調整機構
６３，６３Ａ  折り畳み機構
６４，６４Ａ  干渉回避構造
７０          連結具
７４          前壁
７５          左壁
７６          右壁
７８          ボルト貫通孔（貫通孔）
８０          ボルト（締結部材）
８１          頭部
８２          ねじ部（軸部）
８３          ナット
Ｒ            屋根
ＯＵ          エアコン室外機
ＳＰ          スペース
Ｚ            高さ方向
【図１】
2018119740.tif 000003
【図２】
2018119740.tif 000004
【図３】
2018119740.tif 000005
【図４】
2018119740.tif 000006
【図５】
2018119740.tif 000007
【図６】
2018119740.tif 000008
【図７】
2018119740.tif 000009
【図８】
2018119740.tif 000010
【図９】
2018119740.tif 000011
【図１０】
2018119740.tif 000012
【図１１】
2018119740.tif 000013
【図１２】
2018119740.tif 000014
【図１３】
2018119740.tif 000015
【図１４】
2018119740.tif 000016
【図１５】
2018119740.tif 000017
【図１６】
2018119740.tif 000018
【図１７】
2018119740.tif 000019